(57)【特許請求の範囲】
【請求項１】
水性液媒体と、黒色染料と、を含む記録液において、前記黒色染料として第１の黒色染料と、第２の黒色染料とを含み、該第１の黒色染料が、下記式（１）で示される染料であり、該第２の黒色染料が、下記式（２）で示される染料及び下記式（３）で示される染料から選ばれる少なくとも一方であることを特徴とする記録液（但し、下記式（４）で示される染料を含有することを除く）：
【化１】
0003984695.tif 000010
（上記式（１）において、Ｗはカルボキシル基を、Ｘはカルボキシル基を、Ｙは水素原子、カルボキシル基またはスルホン基を、Ｚは水素原子、カルボキシル基またはスルホン基を、Ｒ1は水素原子、カルボキシル基及びアルコキシル基の少なくとも一方で置換されたアルキル基、置換もしくは未置換のフェニル基、または置換もしくは未置換のアルカノイル基を、それぞれ表わす）
【化２】
0003984695.tif 000011
（上記式（２）及び（３）に於いて、Ｑ1は低級アルキルカルボニルアミノ基及び低級アルコキシ基から選択された少なくとも１種により置換されたフェニル基もしくはナフチル基；またはスルホン基で置換されたナフチル基を表わし、Ｑ2はスルホン基で置換されたナフチル基；または低級アルコキシ基で置換されたフェニル基を表わし、Ｑ3は、下記構造式のいずれかで表される基であり
【化３】
0003984695.tif 000012
Ｒ2及びＲ3はそれぞれ独立して、低級アルキル基、低級アルコキシ基または低級アルキルカルボニル基を表わし、Ｒ4は水素原子またはスルホン基で置換されたフェニル基を表わし、ｎは０または１であり、Ｍはアルカリ金属または置換されていても良いアンモニウム基を表わす）
【化４】
0003984695.tif 000013
（上記式（４）において、Ｒ1及びＲ2は、それぞれ独立して、水素原子、置換基を有していてもよい炭素数１ないし６のアルキル基又は置換基を有していてもよい炭素数１ないし６のアルコキシ基を表わし、ｍ及びｎは１又は２を表わす）。
【請求項２】
インクジェット記録用の記録液である請求項１記載の記録液。
【請求項３】
請求項２に記載の記録液をインクジェット法により吐出する工程を有することを特徴とするインクジェット記録方法。
【請求項４】
請求項２に記載の記録液を収容している記録液収容部と、該記録液を吐出せしめるインクジェットヘッド部と、を具備していることを特徴とするインクジェット記録装置。
【発明の詳細な説明】
【０００１】
【発明の属する技術分野】
本発明は、黒色記録液、該記録液を用いるインクジェット記録方法及びインクジェット記録装置に関する。
【０００２】
【従来の技術】
インクジェット記録システムの普及に伴い、印字物（プリント）の画像濃度や色調の向上、堅牢性の向上のための技術開発が盛んに行われている。なかでも、記録液の組成や物性の面からのかかる技術開発へのアプローチも盛んであり、特に、使用頻度の高い黒色記録液について種々の改良が試みられている。
【０００３】
黒色記録液による印字物の堅牢性、例えば耐水性については、特開平２−１４０２７０号公報、特開平３−９１５７７号公報に、染料分子の骨格構造がカルボキシル基を１または２個有するジアゾ骨格からなる黒色染料を用いることで耐水性の良好な画像を形成できるようにした記録液が開示されている。
【０００４】
一方、黒色記録液による画像濃度や色調に関しては、黒色染料に他の染料を併用する方法が知られており、例えば特開平７−９７５４１号公報においては黒色染料に他の色調の染料を併用することで良好な黒色の再現を可能とすることが、また特開平６−２４８２１２号公報には、会合を起しやすい染料と他の黒色染料を併用することにより紙表面での染料分子間の会合を防ぎ、理想的な黒色インクを得ることが記載されている。これは、他の黒色染料の併用が、会合しやすい染料の分子間になんらかの作用をし、染料の分子間の会合が妨げられるものと考えられる。
【０００５】
【発明が解決しようとする課題】
上述のとおり、黒色記録液の改良についての技術開発が行われているが、黒色記録液の適用範囲を更に広げて行くには、黒色記録液の色調や物性に対する更なる改良が求められている。例えば、上述した特開平２−１４０２７０号公報及び特開平３−９１５７７号公報に記載の黒色記録液によれば堅牢性に優れた画像を得ることができる。しかしながら、適用する記録紙の種類によっては、特に普通紙を用いる場合におけるその種類によっては、紙表面のｐＨやサイズ剤の種類の違いによって染料分子同士が会合し易くなる場合があり、記録紙によって所望の画像濃度が得られなかったり、均一な染着性がえられないといった問題が生じることがあった。すなわち、より多くの種類の記録紙に適用した場合でも記録紙の種類によらず所望の画像濃度と染着性を得るには限界があった。
【０００６】
また、上述の特開平６−２４８２１２号公報に開示された記録液では、記録紙の表面での染料分子の会合を防ぐことによって黒色記録液の色調を改善しているので、記録画像の堅牢性については実用レベルに留まるものである。
【０００７】
以上のとおり、インクジェット記録等において、記録紙、特に普通紙の種類に拘らず良好な画像濃度、画像の堅牢性、均一な染着性等の記録特性がバランス良く得られる黒色記録液に対する要求が高まっている。本発明はかかる黒色記録液における状況に鑑みなされたものであり、その目的はインクジェット記録に好適であり、記録紙、特に普通紙の種類に拘らず良好な画像濃度、均一な染着性等の記録特性が得られる黒色記録液を提供することにある。本発明の他の目的は、このような特性の優れた黒色記録液を用いた記録方法及び記録装置、とりわけインクジェット記録方法及びインクジェット記録装置を提供することにある。
【０００８】
【課題を解決するための手段】
本発明の黒色記録液は、水性液媒体と、黒色染料と、を含む記録液において、前記黒色染料として第１の黒色染料と、第２の黒色染料とを含み、該第１の黒色染料が、後述する一般式（１）で示される染料であり、該第２の黒色染料が、後述する一般式（２）で示される染料及び後述する一般式（３）で示される染料から選ばれる少なくとも一方であることを特徴とする。本発明の黒色記録液はインクジェット記録方法に特に好適であり、被記録材（記録紙）、特に普通紙の種類に対する汎用性が向上しており、均一な染着性と十分な画像濃度、画像堅牢性を得ることができる。本発明の記録液を収容した記録液収容部を用いることで、多種の被記録材への汎用性が向上したインクジェット記録装置を提供することができる。
【０００９】
【発明の実施の形態】
本発明の黒色記録液は、カルボキシル基を１つ以上有する黒色染料分子と、スルホン基を２つ以上有する黒色染料分子とが含まれる。
【００１０】
カルボキシル基を１つ以上有する黒色染料分子としては、ジアゾ骨格を有する黒色染料分子が好ましく、更に、以下に示す一般式（１）で表わされる黒色染料分子の１種以上を用いるのがより好ましい。
【００１１】
【化１１】
0003984695.tif 000002
（式中、Ｗはカルボキシル基を、Ｘはカルボキシル基を、Ｙは水素原子、カルボキシル基またはスルホン基を、Ｚは水素原子、カルボキシル基またはスルホン基を、Ｒ1は水素原子、カルボキシル基及びアルコキシル基の少なくとも一方で置換されたアルキル基、置換もしくは未置換のフェニル基、または置換もしくは未置換のアルカノイル基を、それぞれ表わす。）
一般式（１）において、Ｒ1が表わすカルボキシルアルキル基は、好ましくはカルボキシＣ1-6（炭素数が１〜６、以下同様）アルキル基、より好ましくはカルボキシＣ1-4アルキル基である。また、Ｒ1が表わすアルコキシアルキル基は、好ましくはＣ1-6アルコキシＣ1-6アルキル基、より好ましくはＣ1-4アルコキシＣ1-4アルキル基である。
【００１２】
一方、スルホン基を２つ以上有する黒色染料分子としては、ジアゾ骨格またはトリスアゾ骨格を有する黒色染料が好ましく、更に下記一般式（２）及び（３）で表わされる黒色染料分子の１種以上を用いるのがより好ましい。また、下記一般式（２）及び（３）で表わされる黒色染料分子を各々１種以上ずつ用いるのが最も好ましい。
【００１３】
【化５】
0003984695.tif 000003
【００１４】
【化６】
0003984695.tif 000004
（式中、
Ｑ1は低級アルキルカルボニルアミノ基及び低級アルコキシ基から選択された少なくとも１種により置換されたフェニル基もしくはナフチル基；またはスルホン基で置換されたナフチル基を表わし、
Ｑ2はスルホン基で置換されたナフチル基；または低級アルコキシ基で置換されたフェニル基を表わし、
Ｒ2及びＲ3はそれぞれ独立して、低級アルキル基、低級アルコキシ基または低級アルキルカルボニル基を表わし、
Ｒ4は水素原子またはスルホン基で置換されたフェニル基を表わし、
ｎは０または１であり、
Ｍはアルカリ金属または置換されていても良いアンモニウム基を表わす。）
一般式（２）及び（３）で表わされる染料構造中の低級アルキルカルボニルアミノ基としては、Ｃ1ー4アルキルカルボニルアミノ基が好ましく、低級アルコキシ基としては、Ｃ1ー4アルコキシ基が好ましく、また、低級アルキル基としては、Ｃ1ー4アルキル基が好ましい。
【００１５】
一般式（２）で表わされる染料化合物としては、以下に示す染料Ｎｏ．１〜５の化合物を挙げることができる。
【００１６】
【化７】
0003984695.tif 000005
一般式（３）で表わされる染料化合物としては、以下に示す染料Ｎｏ．６〜１０の化合物を挙げることができる。
【００１７】
【化８】
0003984695.tif 000006
カルボキシル基を有する染料は、耐水性は良好であるが、水性液媒体に対する溶解性には限界があり、また紙の表面で染料分子同士が会合するため、紙繊維の染着性に劣る場合がある。そこで、本発明においては、可溶化基がスルホン基を主体としている染料を、カルボキシル基を有する染料と混同して使用することで、紙の表面での染料分子同士の会合を防止して均一な染着性を得ることで画像濃度を良好なものとする一方で、耐水性を低下させることなく染料による染着強度を向上させて堅牢な画像を得ることができる。
【００１８】
本発明の記録液は、少なくとも水性液媒体と黒色染料とを用いて調製することができる。水性液媒体としては、水と水溶性有機溶剤との混合媒体を好適に用いることができる。水溶性有機溶剤としては、例えば、ジメチルホルムアミド、ジメチルアセトアミド等のアミド類；アセトン等のケトン類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールモノメチル（又はエチル）エーテル等の多価アルコールの低級アルキルエーテル類；Ｎ−メチル−２−ピロリドン、１，３−ジメチル−２−イミダゾリジノン、トリエタノールアミン、スルホラン、ジメチルサルフォオキサイド、２−ピロリドン、ε−カプロラクタム等の環状アミド化合物及びスクシンイミド等のイミド化合物等を挙げることができ、これらの１種以上を用いることができる。水溶性有機溶剤の記録液全量に対する配合割合は、１〜８０重量％が好ましく、その上限は５０重量％が、その下限は３重量％がより好ましい。
【００１９】
記録液中における水の配合量は、記録液全量に対して２０〜９５重量％が好ましく、その上限は９０重量％が、その下限は３０重量％がより好ましい。
【００２０】
本発明の記録液は、上記のとおり、カルボキシル基を１つ以上有する黒色染料分子とスルホン基を２つ以上有する黒色染料分子とが記録液中に混在するように、例えば２種以上の染料を水性液媒体中の混合して調製することができる。これら２種の染料分子の割合は、用いる染料分子の種類や特性等に応じて本発明の効果が得られる範囲内で設定すれば良い。通常は、染料の形態での配合比として、カルボキシル基を１つ以上有する黒色染料分子の第１の黒色染料と、スルホン基を２つ以上有する黒色染料分子の第２の黒色染料を、これらの合計量に対して第１の黒色染料が２０〜８０重量％となるようにするのが好ましい。なお、第１の黒色染料として２種以上の黒色染料を用いてもよいし、第２の黒色染料として２種以上の黒色染料を用いても良い。
【００２１】
また、染料の合計量の割合は、一般には記録液全重量に対して０．１〜１５重量％とすることができ、その上限は５重量％が、その下限は１重量％が好ましい。
【００２２】
更に、本発明の記録液には、界面活性剤、防腐剤、酸化防止剤、ｐＨ調製剤、水溶性ポリマー等の添加剤、なかでもインクジェット用の記録液において通常用いられている添加剤を本発明の効果を損なわない範囲内で適宜配合しても良い。
【００２３】
次に、本発明の記録液を用いる記録方法について説明する。本発明の記録液を用いて記録を行なうのに好適な方法及び装置としては、記録ヘッドの室内に記録液に記録信号に対応した、液滴吐出用のエネルギー（好ましくは熱エネルギー）を与え、この吐出用のエネルギーによって記録液の液滴をオリフィス（吐出口）から吐出させて記録紙等の被記録材に付着させて記録を行なうインクジェット記録方法及び装置を挙げることができる。
【００２４】
その装置の主要部であるインクジェットヘッド部（以下ヘッド部という）の構成例を図１〜３に示す。ヘッド部１３は記録液を通す溝１４を有するガラス、セラミック又はプラスチック板等と、吐出のための熱エネルギーを発生させるための発熱低抗体を有する発熱ヘッド１５とを接合した構成を有する。なお、ヘッド部１３は、図１、２に示す構成の部分の他に、必要に応じて記録液を貯留する液室等を有することができる。また、ヘッド部１３の構成は図示したものに限定されず、種々の構成のヘッド部を利用できる。更に、後述するように、ヘッド部１３は記録液の収納部（例えばインクカートリッジ等）と、必要に応じて着脱自在に一体化したものでもよい。
【００２５】
図１、２に示す発熱ヘッド１５は、酸化シリコン等で形成される保護膜１６、アルミニム電極１７−１及び１７−２、ニクロム等で形成される発熱低抗体１８、蓄熱層１９、アルミナ等の放熱性の良い基板２０を有する。記録操作を行う状態において記録液２１は液滴の吐出口としてのオリフィス２２まできており、不図示の圧力によりメニスカス２３を形成している。この状態で、電極１７−１及び１７−２に記録情報に応じて電気信号が加わると、発熱ヘッド１５のｎで示された領域が急激に発熱し、ここに接している記録液２１に気泡が発生し、その圧力でメニスカス２３が突出し、液滴２４となってオリフィス２２から被記録材２５に向かって吐出される。図３には、図１に示した記録液の通路（液路）としての溝１４を多数並列してマルチ溝２６としたヘッド部の一例を示す。
【００２６】
図４に上記構成のヘッド部を組み込んだインクジェット記録装置の一例を示す。図４において、６１はワイピング部材としてのブレードであり、その一端はブレード保持部材によって保持されて固定端となり、カンチレバーの形態をなしている。ブレード６１はヘッド部６５による記録領域に隣接した位置に配設されている。また、本例の場合、ブレード６１はヘッド部６５の移動経路中に突出した形態で保持されている。６２はヘッド部６５のオリフィス面（吐出口面）のキャップであり、ブレード６１に隣接するホームポジションに配設され、ヘッド部６５の移動方向と垂直な方向に移動して吐出口面と当接し、キャッピングを行なう構成を具備する。更に、６３はブレード６１に隣接して配設される記録液吸収体であり、ブレード６１と同様、ヘッド部６５の移動経路中に突出した形態で保持されている。ブレード６１、キャップ６２、記録液吸収体６３によって突出回復部６４が構成され、ブレード６１及び記録液吸収体６３によってオリフィス面からの水分、塵  等の除去が行われる。
【００２７】
６６はヘッド部６５を搭載して移動することでヘッド部６５の位置を変えるためのキャリッジである。キャリッジ６６はガイド軸６７と摺動可能に係合し、キャリッジ６６の一部はモータ６８によって駆動されるベルト６９と接続（不図示）している。これによりキャリッジ６６はガイド軸６７に沿って移動が可能ちなり、ヘッド部６５による記録領域及びその隣接した領域の移動が可能となる。
【００２８】
５１は被記録材を挿入する為の給紙部であり、５２は不図示のモータにより駆動される紙送りローラである。これらの構成によってヘッド部６５のオリフィス面と対向する位置へ被記録材が給紙され、記録が進行するにつれて排紙ローラ５３を配した排紙部へ排紙される。
【００２９】
以上の構成において、ヘッド部６５が記録終了等でホームポジションに戻る際、吐出回復部６４のキャップ６２はヘッド部６５の移動経路から退避しているが、ブレード６１は移動経路中に突出している。この結果、ヘッド部６５のオリフィス面がワイピングされる。なお、キャップ６２がヘッド部６５のオリフィス面に当接してキャッピングを行なう場合、キャップ６２はヘッド部の移動経路中に突出するように移動する。ヘッド部６５がホームポジションから記録開始位置へ移動する場合、キャップ６２及びブレード６１は、上記ワイピング時の位置と同一の位置にある。この結果、この移動においてもヘッド部６５のオリフィス面はワイピイングされる。ヘッド部６５のホームポジションへの移動は、記録終了時や吐出回復時ばかりでなく、ヘッド部６５が記録の為に記録領域を移動する間に所定の間隔で記録領域に隣接したホームポジションへ移動し、この移動に伴ってワイピングが行なわれる。
【００３０】
図５に、ヘッド部にチューブ等を介して供給する記録液を収容したインクカートリッジの一例を示す。ここで４０は供給用の記録液を収容した、例えばインク袋などから構成される記録液の収容部である。収容部４０の先端にはゴム製の栓４２が設けられている。この栓４２に例えば中空の針（不図示）を突き刺すことで、収容部４０中に収容された記録液を取り出すことができるようにしてある。４４は廃棄された記録液を受容する吸収体である。収容部４０としては、記録液との接液面がポリオレフィンで形成されているものが好ましく、ポリオレフィンの中ではポリエチレンが好ましい。
【００３１】
ヘッド部に記録液を供給する方法としては、図５に示した収納部を別途設け、収納部からチューブ等の供給系を介してヘッド部に記録液を供給する方法のほかに、図６に示しように、ヘッド部と記録液の収納部であるインクカートリッジを一体化して記録ユニットとし、インクカートリッジから直接ヘッド部へ記録液を供給するようにするこもできる。なお、インクカートリッジはヘッド部と必要に応じで着脱自在な構成とすることもできる。図６において、７０は記録ユニットであって、この中には記録液を収納した記録液の収納部、例えば区画された収納室内に記録液を吸収して保持できる吸収体を充填した構成の収納部が一体化されている。吸収体を配置した収納室は記録液の種類に応じて複数とし、各収納室から所定のヘッド部のオフィスへ記録液を供給して記録を行なうことができる。本発明では、先に説明した黒色記録液を充填、収容した収容室を少なくとも１つ有する記録ユニットが用いられる。収容室内に充填する吸収体の好ましい材質としては、ポリウレタン、セルロース及びポリビニルアセテートを挙げることができる。７２は記録ユニット内部を大気に連通させる為の大気連通口である。この記録ユニット７０は、図４で示す装置においてヘッド部６５に代えて用いることができるものであって、キャリッジ６６に対し着脱自在になっている。
【００３２】
以上、熱エネルギーを記録液の液滴の吐出に利用するインクジェット方式を例示したが、吐出方式はこれに限定されず、圧電素子を使用するピエゾ方式などその他の方式も利用できる。
【００３３】
【実施例】
次に、実施例、参考例および比較例を挙げて本発明をさらに具体的に説明する。なお、以下の記載で「部」および「％」の表示は特記しない限り重量基準である。
【００３４】
実施例１、参考例１〜５および比較例１〜３以下に示す各成分を混合し、充分攪拌した後、孔径が０．２２μｍのフロロポアフィルター（住友電気工業のフィルター、商標名）で加圧濾過し、濾液を記録液として回収した。
参考例１
Ｃ．Ｉ．ダイレクト  ブラック１９５      １．８部
Ｃ．Ｉ．ダイレクト  ブラック９０        ０．５部
Ｃ．Ｉ．ダイレクト  ブラック１９        ０．３部
グリセリン                            １０．０部
エチルアルコール                        ２．０部
純水                                  ８５．４部
実施例１
Ｃ．Ｉ．ダイレクト  ブラック１９５      １．０部
Ｃ．Ｉ．フード  ブラック２              ０．８部
一般式（２）の例示化合物Ｎｏ．１の染料  ０．５部
一般式（３）の例示化合物Ｎｏ．６の染料  ０．３部
グリセリン                              ５．０部
エチレングリコール                      ５．０部
イソプロパノール                        ４．０部
純水                                  ８３．４部
参考例２
Ｃ．Ｉ．ダイレクト  ブラック５１        １．７部
一般式（２）の例示化合物Ｎｏ．２の染料  ０．５部
Ｃ．Ｉ．ダイレクト  ブラック１６８      ０．３部
トリエチレングリコール                １７．０部
エチルアルコール                        ３．０部
純水                                  ７７．５部
参考例３
Ｃ．Ｉ．ダイレクト  ブラック５１        １．０部
Ｃ．Ｉ．フード  ブラック２              ０．５部
Ｃ．Ｉ．ダイレクト  ブラック１５４      ０．５部
一般式（３）の例示化合物Ｎｏ．７の染料  ０．５部
グリセリン                            １３．０部
ｎ−ブチルアルコール                    ３．０部
純水                                  ８１．５部
参考例４
Ｃ．Ｉ．ダイレクト  ブラック５１        １．５部
Ｃ．Ｉ．ダイレクト  ブラック１９        １．０部
ジエチレングリコール                  １２．０部
イソプロパノール                        ３．０部
純水                                  ８２．５部
参考例５
Ｃ．Ｉ．ダイレクト  ブラック５１        ２．０部
一般式（２）の例示化合物Ｎｏ．３の染料  ０．５部
グリセリン                              ５．０部
エチレングリコール                      ５．０部
イソプロパノール                        ３．０部
純水                                  ８４．５部
比較例１
Ｃ．Ｉ．ダイレクト  ブラック１９５      ２．５部
グリセリン                            １０．０部
エチルアルコール                        ２．０部
純水                                  ８５．５部
比較例２
Ｃ．Ｉ．ダイレクト  ブラック９０        ２．０部
一般式（２）の例示化合物Ｎｏ．３の染料  ０．５部
グリセリン                              ５．０部
エチレングリコール                      ５．０部
イソプロパノール                        ３．０部
純水                                  ８４．５部
なお、上記のＣ．Ｉ．番号の染料の構造は以下のとおりである。
【００３５】
【化９】
0003984695.tif 000007
【００３６】
【化１０】
0003984695.tif 000008
次に、これらの記録液をそれぞれ個々に用いて市販のコピー用紙▲１▼（キヤノン株式会社製、ＰＢペーパー）、▲２▼（ゼロックス社製、４０２４ペーパー）及びボンド紙（ｐｌｏｖｅｒ  Ｂｏｎｄ）にインクジェット記録装置を用いて記録を行った。使用したインクジェット記録装置は図４に示す構造を有するもので、ヘッド部としてＢＪＣ４２０Ｊ（商品名：キヤノン株式会社製、インクジェットプリンター）に使用されているものを用いた。ヘッド部の駆動条件（発熱低抗体への通電条件）は各ヘッド部とも印加電圧２４Ｖ、駆動周波数６．２５ｋＨｚとした。各記録液における紙への染着性の評価を行ない、結果を表１に示した。なお、記録の評価は以下の方法に従って行なった。
評価方法：
記録紙にベタ部を記録した。得られたベタ印字部の表面を光学的に２０倍に拡大して観察し、以下の基準に従って評価した。
◎：紙の繊維が完全に染着されていた。
○：紙の繊維がほとんど染着されていた。
△：紙の繊維に染着されていない部分が少し見られた。
×：紙の繊維のほとんどが染着されていなかった。
【００３７】
【表１】
0003984695.tif 000009
（１）：ＰＢペーパー（キヤノン株式会社）
（２）：４０２４ペーパー（ゼロックス社製）
【００３８】
【発明の効果】
以上説明したとおり、本発明の記録液は、異なる種類の被記録材、特に普通紙の紙繊維に対する均一な染着性を有し、そのために十分な画像濃度、及び画像堅牢性を得ることができる。また、本発明の記録液を用いる、あるいは本発明の記録液を収納納した収納部を有するインクジェット記録装置を用いることで、多種の被記録材、なかでも普通紙を広範に利用できるインクジェット記録装置を提供することができる。
【図面の簡単な説明】
【図１】本発明に適用し得るインクジェットヘッドの一例の主要部の部分断面図である。
【図２】本発明に適用し得るインクジェットヘッドの一例のオリフィス面を示す図である。
【図３】本発明に適用し得るインクジェットヘッドの一例の主要部の斜視図である。
【図４】本発明に適用し得るインクジェット記録装置の一例の斜視図である。
【図５】本発明に適用し得るインクカートリッジの一例の断面図である。
【図６】本発明に適用し得るインクジェットヘッドの一例の斜視図である。
【符号の説明】
１３    ヘッド部
１４    溝
１５    発熱ヘッド
１６    保護層
１７−１、１７−２    アルミニウム電極
１８    発熱低抗体層
１９    蓄熱層
２０    基板
２２    オリフィス
２３    メニスカス
２４    液滴
２５    被記録材
２６    マルチ溝
２７    ガラス板
２８    発熱ヘッド
４０    収容部
４２    栓
４４    吸収体
４５    インクカートリッジ
５１    給紙部
５２    紙送りローラ
５３    排紙ローラ
６１    ブレード
６２    キャップ
６３    吸収体
６４    突出回復部
６５、７１    ヘッド部６５
６６    キャリッジ
６７    ガイド軸
６８    モータ
６９    ベルト
７０    記録ユニット
７２    大気連通口
【図１】
0003984695.tif 000014
【図２】
0003984695.tif 000015
【図３】
0003984695.tif 000016
【図４】
0003984695.tif 000017
【図５】
0003984695.tif 000018
【図６】
0003984695.tif 000019